(57)【要約】【課題】内部に収容された鉱物等の観察対象を鮮明に観察することができ、さらに簡便に観察対象の劣化を防止することができる観察器具を提供することを課題とする。【解決手段】観察対象Ｋを収容する観察容器１と、前記観察容器１内に注入される超純水２と、を備え、前記観察容器１は、容器本体１１と、蓋１２と、を有し、前記容器本体１１は、密閉されている。前記容器本体１１は、有底筒状体に形成されており、前記容器本体１１の底部１３は、略半球状に形成されている。【選択図】図１
0003218130.tif 000002
【実用新案登録請求の範囲】
【請求項１】
観察対象を収容する透明な観察容器と、
前記観察容器内に注入される超純水と、を備えていることを特徴とする、観察器具。
【請求項２】
前記観察容器は、容器本体と、蓋と、を有し、
前記容器本体は、密閉されていることを特徴とする、請求項１に記載の観察器具。
【請求項３】
前記容器本体は、有底筒状体に形成されており、
前記容器本体の底部は、略半球状に形成されていることを特徴とする、請求項２に記載の観察器具。
【請求項４】
前記容器本体は、有底筒状体に形成されており、
前記容器本体の底部は、平面に形成されていることを特徴とする、請求項２に記載の観察器具。
【請求項５】
前記容器本体は、超純水で満たされていることを特徴とする、請求項２〜４の何れかに記載の観察器具。
【請求項６】
前記容器本体は、ガラス製であることを特徴とする、請求項２〜５の何れかに記載の観察器具。
【請求項７】
前記観察対象は、鉱物であることを特徴とする、請求項１〜６の何れかに記載の観察器具。
【請求項８】
前記観察容器を置いて観察又は保管するための観察台をさらに備えていることを特徴とする、請求項１〜７の何れかに記載の観察器具。
【考案の詳細な説明】
【技術分野】
【０００１】
本考案は、鉱物等の観察対象を観察するための観察器具に関するものである。
【背景技術】
【０００２】
宝石を含む鉱物等は、天然に存在するものや加工されたもののどちらも光との相性が良く、それらの透明度や色、形状により多様な光の特殊効果（分散、干渉、回折、散乱）を生み出す。
また、鉱物には特有の特殊効果（例えばスター効果や変色効果等）も存在し、主に鉱物の成長過程で発生するインクルージョン（内包物）に光が反射することで生み出される。インクルージョンの形状や鉱物の表面形状は多様であり、それらによって生み出される特殊効果はどれ一つとして同じものはなく、見る人を魅了する。
【０００３】
このような光や鉱物特有の特殊効果は、観察する角度により異なる色や輝きを発することから、鉱物等を３６０度あらゆる方向から光を遮ることなく観察することが重要視されている。また、長期間観察対象を劣化させずに一定の状態を維持し、観察対象への異物付着を防ぐため、観察対象に直接手を触れずに観察可能な観察器具が求められている。
【０００４】
そこで、密閉された容器の中に観察対象を設けた器具が提案されている。
例えば、特許文献１には、博物館等に展示される経時変化が極めて少ない展示用標本の技術が記載されている。特許文献１に記載の技術では、透明性に優れ、経時的に安定で安全性が高く、展示する物品を損なうことなく鑑賞することができる。
【先行技術文献】
【特許文献】
【０００５】
【特許文献１】特開１９９６−９２００２号公報
【考案の概要】
【考案が解決しようとする課題】
【０００６】
特許文献１に記載の装置は、展示用物品とシリコーンゲルとを透明容器内に配置し、展示用物品の劣化を防止し、長期に亘って同じ状態で鑑賞することが可能である。
しかしながら、特許文献１に記載の技術は、光の反射等の観察に特化したものではなく、物品の劣化防止を目的としているため、容器内部にはシリコーンゲルが封入され、観察対象が空気に触れることを抑制している。シリコーンゲルは、比較的透明度が高いものの、光を反射させる場合には微粒子による散乱光の発生が懸念される。また、シリコーンゲルは粘度が高く、空気が入り込むことで気泡となるため、減圧脱泡や真空ポンプ等の機械を用いた封入作業が必要となる。
【０００７】
本考案は、以上のような点を考慮してなされたものであり、内部に収容された鉱物等の観察対象を鮮明に観察することができ、さらに簡便に観察対象の劣化を防止することができる観察器具を提供することを課題とする。
【課題を解決するための手段】
【０００８】
上記課題を解決するため、本考案では以下の手段を採用した。
本考案の好ましい形態では、観察対象を収容する透明な観察容器と、前記観察容器内に注入される超純水と、を備えていることを特徴とする。
【０００９】
本考案に係る観察器具によれば、透明な観察容器内部に注入される極めて純度の高い水である超純水により、散乱光の原因となる微粒子を極力減らし、観察対象をより鮮明に観察することができる。
また、超純水は粘度が低く、水中に含まれ、観察対象との化学反応により劣化の原因となる菌、微粒子、残留物質が限りなく少ないため、超純水を用いることで簡便に観察対象の劣化を防止することができる。
【００１０】
本考案の好ましい形態では、前記観察容器は、容器本体と、蓋と、を有し、前記容器本体は、密閉されていることを特徴とする。
超純水は大気に触れ、大気中の微粒子や有機物等の不純物が混入することで純度が極端に下がる。すなわち超純水が劣化する。このように、容器本体を密閉することで、超純水に不純物が混入することを防止し、超純水の劣化を抑制することができる。また、容器本体に蓋を設けて開閉可能な構造にすることで、観察対象を取出して観察することや、観察対象の追加なども自由に行うことができる。
【００１１】
本考案の好ましい形態では、前記容器本体は、有底筒状体に形成されており、前記容器本体の底部は、略半球状に形成されていることを特徴とする。
このように、容器本体を底部が略半球状の筒状体に形成することで光が曲面に当たることとなる。そのため、平面とは異なる角度で反射が起こり、観察対象が拡大されて見える。このため、観察対象の表面形状などの詳細な部分も観察することができる。
【００１２】
本考案の好ましい形態では、前記容器本体は、有底筒状体に形成されており、前記容器本体の底部は、平面に形成されていることを特徴とする。
このように、容器本体を底部が平面な筒状体に形成することで底部が略半球状である時と同様に、側面では平面とは異なる角度で反射が起こり、観察対象が拡大されて見える。また、底部が平面であることにより自身が自立可能であるため様々な場所に置いて観察することができる。
【００１３】
本考案の好ましい形態では、前記容器本体は、超純水で満たされていることを特徴とする。
このように、容器本体が超純水で満たされていることにより超純水が空気と触れて劣化することを防ぐことができる。また、気泡が入ることを抑制することができ、より鮮明に観察対象を観察することができる。
【００１４】
本考案の好ましい形態では、前記容器本体は、ガラス製であることを特徴とする。
このように、容器本体をガラス製とすることにより、容器本体の透明度が高いため、より鮮明な状態で観察対象を観察することができる。
【００１５】
本考案の好ましい形態では、前記観察対象は、鉱物であることを特徴とする。
このように、本考案の観察器具を鉱物に適用することにより、素手で触れることが好ましくない宝石等の鉱物も全方向から細部まで鮮明かつ簡便に観察できる。
【００１６】
前記観察容器を置いて観察又は保管するための観察台をさらに備えていることを特徴とする。
このように、観察台を設けることにより、観察対象を任意の位置から動かすことなく観察することができる。
【考案の効果】
【００１７】
開示した技術によれば、内部に収容された鉱物等の観察対象を鮮明に観察することができ、さらに簡便に観察対象の劣化を防止することができる観察器具を提供することができる。
【００１８】
他の課題、特徴及び利点は、図面及び実用新案登録請求の範囲とともに取り上げられる際に、以下に記載される考案を実施するための形態を読むことにより明らかになるであろう。
【図面の簡単な説明】
【００１９】
【図１】本考案の実施形態１に係る観察器具の正面図である。
【図２】本考案の実施形態１に係る観察器具の使用状態を示す説明図である。
【図３】本考案の実施形態２に係る観察器具の使用状態を示す説明図である。
【考案を実施するための形態】
【００２０】
以下、本考案を図面に示した好ましい実施形態１及び実施形態２について図１〜図３を参照して説明する。本考案の技術的範囲は、添付図面に示した実施形態に限定されるものではなく、実用新案登録請求の範囲に記載された範囲内において、適宜変更が可能である。
【００２１】
＜実施形態１＞
図１は本実施形態に係る観察器具Ｅ１の正面図である。図２は本実施形態に係る観察器具Ｅ１の使用状態、特に観察器具Ｅ１を観察台Ｓ１に置いて観察又は保管する様子を示す説明図である。
本考案の実施形態１に係る観察器具Ｅ１は、内部に鉱物等の観察対象Ｋを収容する透明な観察容器１と、観察容器１内に注入される超純水２と、観察容器１を置いて観察又は保管するための観察台Ｓ１とを備えている。
【００２２】
観察容器１は、内部が透き通り観察対象Ｋを鮮明に観察できる透明な容器本体１１と、容器本体１１の開口部を塞ぎ、密閉するための蓋１２を有している。また、容器本体１１は有底筒状体であり、底部１３は略半球状に形成されている。さらに、容器本体１１は、超純水２で満たされていることが好ましい。ここで、超純水２で満たすとは、容器本体１１を限界まで一杯にした状態を言い、すなわち気泡が混入していない状態を言う。
【００２３】
容器本体１１は透明で光を十分に通すことが求められるため、ガラス等の素材が適していると考えられる。特に透過度が重要となり、観察対象Ｋ本来の色等を観察するためには透過度が高く、無色透明であることが好ましい。同様の特徴を持つ材質であれば、ガラスに限らず、軽くて丈夫な透明なプラスチック（アクリル樹脂等）等も使用することができる。
また、本実施形態では、蓋１２を容器本体１１の開口部に螺合するキャップ形式とした例を示しているが、開口部に嵌る栓形式やビール瓶等に用いられる王冠形式等を任意に選択することができる。本考案における蓋１２の好ましい素材は超純水２に浸かっても劣化や色が超純水２に移る等の現象を防止することができるプラスチック等である。しかしながら、デザイン性等を考慮する場合や、図２に示すように蓋１２が超純水２に浸かっていない場合等は、コルクや酸化防止等を施した金属等から任意に選択することができる。
【００２４】
超純水２は、微粒子、有機物、生菌や溶存ガス等の含有物を極力除去している。
本実施形態では、電気伝導率が０．０６μＳ／ｃｍ以下である超純水２に分類される水を用いる。例えば、以下の何れか、または全ての条件を満たす超純水２を用いることが好ましい。
超純水２に含まれる０．０３μｍ以上０．２μｍ以下の微粒子数は、１個／ｍｌ以下である。超純水２に含まれる生菌は、０．１ｃｆｕ／ｌ以下である。超純水２に含まれるＴＯＣ（全有機炭素）は、１μｇ／ｌ以下である。超純水２に含まれるシリカは、０．１μｇ／ｌ以下である。超純水２に含まれるＮａは、０．００１μｇ／ｌ以下である。超純水２に含まれるＣｌは、０．００５μｇ／ｌ以下である。超純水２に含まれるＦｅは、０．００１μｇ／ｌ以下である。超純水２に含まれる溶存酸素は２μｇ／ｌ以下である。これらはＪＩＳ規格Ｋ０５５０〜Ｋ０５５６に示す試験方法で確認する。
【００２５】
本実施形態では、空気に触れることで超純水２が劣化することを抑制するため、容器本体１１を超純水２で満たしている（限界まで一杯にした状態）ことが好ましい。一方、観察対象Ｋを観察することに着眼すると、超純水２は少なくとも観察対象Ｋが浸かる量入っていれば良く、任意の量注入することができる。なお、図２に示すように、容器本体１１の８分目まで超純水２を注入し、観察台Ｓ１において観察する際には、水面と空気との境で異なる反射を観察することもできる。
【００２６】
図１に示すように、観察容器１は、底部１３が略半球状であるため、机等において観察を行うことは困難である。そのため、図２に示すようなスタンド形式の観察台Ｓ１を用いて観察あるいは保管することが考えられる。また、観察容器１を手に持ち、光に透かすことにより、光の特殊効果をより鮮明に観察することができる。
なお、図２の真ん中に示した例のように、観察対象Ｋを区別するため、容器本体１１に観察対象Ｋの名前や簡単な説明等を記したラベルＦ等を任意の位置に設けても良い。さらに本実施形態では観察容器１に収容された観察対象Ｋは１つであるが、個数等に制限は設けていない。
【００２７】
本実施形態では、内部に収容される観察対象Ｋを図１に示すように鉱物を例として示している。本考案は、一般的に外観が美しく、アクセサリーなどに使用される鉱物、と分類される宝石を含む鉱物等を観察対象Ｋとし、それらの透明度や色、形状により、光の透過や反射等が活発に起こることで生み出される光の特殊効果（分散、干渉、回折、散乱）や鉱物特有の特殊効果を簡便に観察するべく、考案されたものである。
しかしながら、本考案は内部に収容された観察対象Ｋを鮮明に観察することができ、さらに簡便に観察対象Ｋの劣化を防止することができる観察器具Ｅ１であるため観察対象Ｋには特に制限を設けず、動植物、岩石、化石や宝石を含む様々な鉱物及び、それらのレプリカ、模型等などを任意に選択することができる。
【００２８】
光の特殊効果は、入射波と反射波の作用により生じる。鉱物等、特に天然に存在する物は、多面形状であることが多く、光がその表面に当たることで様々な角度で反射を起こすため、これらの現象をきれいに観察することができる特徴を持つ。また、透明度や色等数多くの種類が存在するため、多様な光の特殊効果を観察することができる。さらに、鉱物の成長過程で形成されるインクルージョンに光が反射することで生じる鉱物特有の特集効果も観察することができる。
上述の構成要素を持つ観察器具Ｅ１を用いることにより、宝石等の鉱物に素手で触れることなく、全周から観察することができる。
【００２９】
これらの光や鉱物特有の特殊効果は、観察する角度により異なる色や輝きを発することから、容器本体１１は観察対象Ｋを３６０度あらゆる方向から光を遮ることなく観察することを考慮し、有底筒状体に形成されている。容器本体１１を筒状に形成することで、ある任意の位置から観察器具Ｅ１を観察する場合、例えば観察容器１を円周方向に回しながら観察対象Ｋを観察する場合には、容器本体１１における光の反射角等の容器本体１１に影響する光に関する条件を一定にすることができる。
【００３０】
本実施形態では図１に示すように、観察対象Ｋが容器本体１１内で超純水２に浸かるように配置されている場合には、筒状体である容器本体１１と超純水２が凸レンズのように働くため、観察対象Ｋが拡大されて見える。つまり、観察対象Ｋは常に凸レンズの役割を果たす容器本体１１と超純水２の焦点距離の内側に存在するため、観察者からは虚像として拡大された像を見ることができる。この現象に加え、超純水２の持つ透明性により、観察対象Ｋの細部まで鮮明に観察することができる。なお、容器本体１１内を超純水２が満たしていることにより、内部の空気によって発生する気泡を抑制し、容器を様々な角度にしても、鮮明に観察対象Ｋを観察することができる。
また、容器本体１１の底部１３を略半球状にすることにより、容器本体１１の筒状部とは異なる曲率を持つ部分となる。このことにより観察容器１を側方から観察する場合とは異なる拡大率で観察対象Ｋを観察することができる。
【００３１】
本考案では、観察容器１に入射した光が容器本体１１や観察対象Ｋ以外で反射し散乱光となる原因と考えられる水中の微粒子や、鉱物等の観察対象Ｋと化学反応を起こし、観察対象Ｋを劣化させる原因と考えられる水中の有機物を極力減らす目的で超純水２を採用している。そのため上述の超純水２を使用することで、容器内をより鮮明に観察することができる。さらに、水中の異物が観察対象Ｋの表面に付着すると、本来の光の反射率を妨げる原因ともなるため、超純水２の使用により理想的な光の反射を実現することができる。
【００３２】
透明度が非常に高い超純水２を、透明な容器本体１１に観察対象Ｋと共に注入することにより、観察対象Ｋを鮮明に観察することができる。また、容器本体１１を超純水２で満たし、密閉することで、空気による気泡の侵入を防ぎ、外部から超純水２に不純物が混入することを防止することができる。さらに、容器本体１１に蓋１２を設けて開閉可能な構造にすることで、観察対象Ｋを取出して観察することや、観察対象Ｋの追加なども自由に行うことができる。さらに、超純水２中には有機物や菌等が非常に少ないため、外的要因による観察対象Ｋの劣化を防ぐことができる。
【００３３】
以上のように、本考案によれば、観察器具Ｅ１は、内部に鉱物等の観察対象Ｋを収容する透明な観察容器１と、観察容器１内に注入される、水中の微粒子や有機物を極力低減した超純水２とにより、内部に収容された鉱物等の観察対象Ｋを鮮明に観察することができ、さらに観察対象Ｋの劣化を防止することができる。
【００３４】
また、観察容器１は、内部が透き通り観察対象Ｋを鮮明に観察できる透明な容器本体１１と、容器本体１１の開口部を塞ぎ、密閉するための蓋１２を有し、容器本体１１を底部１３が略半球状の有底筒状体に形成し、超純水２で満たすことにより、超純水２に空気や異物が混入して観察対象Ｋが劣化することを抑制することができる。さらに、容器本体１１の形状により、容器本体１１と超純水２が凸レンズのように働き、観察対象Ｋが拡大されてより鮮明かつ詳細に観察することができる。
実施形態１のように底部１３が略半球状の観察容器１を用いる場合には特に、スタンド形式の観察台Ｓ１を用いることにより簡便に観察対象Ｋを観察することができる。
【００３５】
＜実施形態２＞
以下、本考案の実施形態２に係る観察器具Ｅ２について、図３を参照して詳細に説明する。この実施形態２に係る観察器具Ｅ２は、先の実施形態１に係る観察器具Ｅ１とは異なり観察容器１の底部１３が平面に形成されていることを特徴とする。なお、同実施形態において、先の実施形態１と基本的に同一の構成要素については、同一の符号を付してその説明を簡略化する。
【００３６】
図３は、本実施形態に係る観察器具Ｅ２の使用状態を示している。この実施形態２に係る観察器具Ｅ２は、実施形態１と同様に、観察対象Ｋを収容する観察容器１と、超純水２と、観察台Ｓ２を備え、観察容器１は容器本体１１と蓋１２を有している。
本実施形態では、容器本体１１の底部１３を平面に形成しており、観察容器１が自立可能に構成され、観察容器１を置くための観察台Ｓ２の上に配置されている。
また、本実施形態では、観察台Ｓ２に観察対象Ｋを照らすためのＬＥＤ照明Ｄが設けられている。
【００３７】
実施形態２に係る観察器具Ｅ２は、底部１３を平面に形成することにより、例えば図３に示す観察台Ｓ２のように、ＬＥＤ照明Ｄを設けた台座の上に観察器具Ｅ２を配置し、自然光や電気の光以外に真下から当てられた光の反射等を観察することができる。さらに、美しいオブジェとしても使うことができる。
このように、自立可能な構成にすることにより、博物館の展示物等にも応用可能である。
【００３８】
本実施形態では、ＬＥＤ照明Ｄを観察台Ｓ２上に設け、真下から観察対象Ｋに光を照射する構成を例として示したが、ＬＥＤ照明Ｄは設けなくても良い。設ける場合は、観察台Ｓ１、Ｓ２以外に、容器本体１１や蓋１２（観察容器１）に設けても良いし、ＬＥＤライト以外の任意の照明を用いても良い。
また、観察台Ｓ１、Ｓ２は、実施形態１のようなスタンド形式の観察台Ｓ１や実施形態２に示す台座形式の観察台Ｓ２等、観察容器１を保持し、観察又は保管が可能な形式であれば良く、スタンドや台座以外にも様々な形式を使用することができる。
【００３９】
以上より、実施形態２によれば、容器本体１１の底部１３を平面に形成することにより、観察器具Ｅ２が自立可能となり、様々な場所に置くことが可能な汎用性の高い観察器具Ｅ２を実現することができる。
【符号の説明】
【００４０】
Ｅ１、Ｅ２  観察器具
Ｓ１、Ｓ２  観察台
Ｋ          観察対象
Ｄ          ＬＥＤ照明
Ｆ          ラベル
１          観察容器
２          超純水
１１        容器本体
１２        蓋
１３        底部
【図１】
0003218130.tif 000003
【図２】
0003218130.tif 000004
【図３】
0003218130.tif 000005